(57)【要約】【課題】複数の番組録画装置で重複無く録画する番組録画装置及び録画予約一覧表示方法ならびに番組録画管理システムを提供する。【解決手段】この発明の一実施の形態は、番組を録画する記録部を有し、その記録部が録画すべき録画予約情報を保持する予約保持部と、前記予約保持部が保持する録画予約情報を表示装置に表示するための映像出力部と、前記映像出力部が表示装置に表示する録画予約情報と他の番組録画装置の記録部に登録されている録画予約情報を、同一表示内に、他の番組表示装置に登録されている録画予約情報であることを明示して表示させる表示制御部と、を有する番組録画装置及び録画予約一覧表示方法ならびに番組録画管理システムである。【選択図】図１
2011217142.tif 000002
【特許請求の範囲】
【請求項１】
番組を録画する記録部を有し、その記録部が録画すべき録画予約情報を保持する予約保持部と、
前記予約保持部が保持する録画予約情報を表示装置に表示するための映像出力部と、
前記映像出力部が表示装置に表示する録画予約情報と他の番組録画装置の記録部に登録されている録画予約情報を、同一表示内に、他の番組表示装置に登録されている録画予約情報であることを明示して表示させる表示制御部と、
を有することを特徴とする番組録画装置。
【請求項２】
前記番組録画装置は、前記表示装置を一体に有することを特徴とする請求項１記載の番組録画装置。
【請求項３】
前記他の番組録画装置は、ネットワークを介して接続されることを特徴とする請求項１記載の番組録画装置。
【請求項４】
登録されている録画予約一覧を生成し、
ネットワークあるいは通信媒体を介して接続される他の番組録画装置に登録されている録画予約一覧を、他の番組表示装置に登録されている録画予約であることを明示して、同一表示内に表示する
ことを特徴とする録画予約一覧表示方法。
【請求項５】
番組を録画する第１の番組録画装置の録画予約を一覧表示する第１の録画予約一覧と、この第１の番組録画装置と独立して番組を録画する第２の番組録画装置の録画予約を一覧表示する第２の録画予約一覧のそれぞれを保持する予約一覧保持部と、
前記予約一覧保持部が保持する前記第１の録画予約一覧及び前記第２の録画予約一覧を統合した統合予約一覧を作成する予約一覧管理部と、
を有することを特徴とする番組録画管理システム。
【請求項６】
前記第１の番組録画装置及び前記第２番組録画装置は、それぞれが受信可能な放送の種別及びそれを受信する受信器の種別、番組に対する契約状況を前記予約一覧管理部に登録しておくことを特徴とする請求項５記載の番組録画管理システム。
【請求項７】
前記予約一覧管理部は、前記統合予約一覧内に、前記第１の番組録画装置による録画予約及び前記第２の番組録画装置による録画予約を明示することを特徴とする請求項５記載の番組録画管理システム。
【請求項８】
新たな録画予約の登録が指示された場合、前記予約一覧管理部が保持する前記統合予約中の前記第１の番組録画装置による録画予約及び前記第２の番組録画装置による録画予約との重複をチェックし、重複が生じる場合、前記第１の番組録画装置または前記第２の番組録画装置において前記新たな録画予約の登録を可能に、前記第１の番組録画装置または前記第２の番組録画装置による録画予約を調整する予約調整部をさらに有することを特徴とする請求項５記載の番組録画管理システム。
【請求項９】
前記予約調整部は、前記第１の番組録画装置に登録されている録画予約の登録済み情報に基づいて、重複した録画予約を前記第２の番組録画装置に登録し、前記第２の番組録画装置に登録されている録画予約の登録済み情報に基づいて、重複した録画予約を前記第１の番組録画装置に登録することを特徴とする請求項１記載の番組録画管理システム。
【発明の詳細な説明】
【技術分野】
【０００１】
この発明は、放送により提供される番組及びネットワークを用いて配信される番組を複数の番組録画装置で重複無く録画する番組録画装置及び録画予約一覧表示方法ならびに番組録画管理システムに関する。
【背景技術】
【０００２】
番組を録画する番組録画装置（レコーダ装置）や、録画機能を有するテレビジョン受信装置（受信装置）は、単一ユーザあるいは家庭内もしくは著作権の保護を条件として許可された特定のグループ内において、複数保有されることがある。
【０００３】
このような背景から、サーバ（ネットワーク）にアクセス可能な通信装置を用い、任意のレコーダ装置や受信装置に設定された番組録画予約を、他の受信装置やレコーダ装置において確認可能とした録画予約管理手法（番組予約システム）が、既に提案されている。
【０００４】
特許文献１は、サーバに接続する通信装置において番組の録画予約を行い、通信装置の識別情報に関連づけられたグループに対してグループ予約情報を作成し、通信装置の要求に従い、予約情報を送信する番組予約システム及びサーバを開示する。
【先行技術文献】
【特許文献】
【０００５】
【特許文献１】特開２００８−２５２４３３号公報
【発明の概要】
【発明が解決しようとする課題】
【０００６】
特許文献１は、ネットワーク上に用意したサーバと接続した複数の録画再生装置や受信装置のそれぞれに設定された録画予約が重複した場合、重複した予約があることを報知する。しかし、特許文献１の番組予約システムは、重複した予約を調整し、複数の録画再生装置や受信装置で録画することについては、何ら開示しない。
【０００７】
この発明の目的は、複数の番組録画装置で重複無く録画する番組録画装置及び録画予約一覧表示方法ならびに番組録画管理システムを提供することである。
【課題を解決するための手段】
【０００８】
この発明は、上記問題点に基づきなされたもので、番組を録画する記録部を有し、その記録部が録画すべき録画予約情報を保持する予約保持部と、前記予約保持部が保持する録画予約情報を表示装置に表示するための映像出力部と、前記映像出力部が表示装置に表示する録画予約情報と他の番組録画装置の記録部に登録されている録画予約情報を、同一表示内に、他の番組表示装置に登録されている録画予約情報であることを明示して表示させる表示制御部と、を有することを特徴とする番組録画装置を提供するものである。
【発明の効果】
【０００９】
この発明の一つの実施の形態を用いることで、新たに録画予約が指示された場合、既に録画予約されていないかを確認し、重複していることがチェックできた場合、録画予約が重複していることを、通知する。新たに指示された録画予約が実行できる（予約登録可能である）場合、任意数の録画装置の録画予約を一覧表示できる統合予約表示に、どの録画装置に録画予約されたかを識別可能に、表示できる。
【００１０】
従って、任意数の録画装置により番組を録画するユーザの利便性が向上する。
【図面の簡単な説明】
【００１１】
【図１】この発明の実施の一形態が適用される録画予約同期システムである番組録画管理システムの一例を示す概略図。
【図２】図１に示した番組録画管理システムの別の実施の一形態の一例を示す概略図。
【図３】図１及び図２に示した番組録画管理システムに「Ｅ−メール」により録画予約を登録する際に用いるメールフォームの一例を示す概略図。
【図４】図１及び図２に示した番組録画管理システムにおける「新規録画予約の手続き」の一例をソフトウェア的に示す概略図。
【図５】図４に示した「新規録画予約の手続き」の一例をより具体的に説明する概略図。
【図６】図４及び図５において「新規録画予約ができない（予約失敗）」を通知するＥ−メールの一例を説明する概略図。
【図７】図４に示した「新規録画予約の手続き」の別の一例をソフトウェア的に示す概略図。
【図８】図１及び図２に示した番組録画管理システムを用い、他の番組録画装置に登録された録画予約をテレビ受信装置の番組録画予約画面で表示した表示の一例を示す概略図。
【図９】図１及び図２に示した番組録画管理システムにより、複数のレコーダ装置が保持する録画予約をテレビ受信装置の統合録画予約一覧画面で表示した表示の一例を示す概略図。
【図１０】図１及び図２に示した番組録画管理システムにより、他のレコーダ装置とテレビ受信装置が保持する録画予約をレコーダ装置の統合録画予約一覧表示出力として表示した表示の一例を示す概略図。
【図１１】ＰＩＭ（Personal Information Manager）データ標準に準拠したスケジュール管理アプリケーション（「ｉカレンダ（i Calendar）」）により、統合録画予約表をネットワークと接続可能な任意の携帯端末装置で閲覧する方法の一例を示す概略図。
【図１２】図１１に示したスケジュール管理アプリケーション（「ｉカレンダ（i Calendar）」）の表示の一例を示す概略図。
【図１３】図１１に示したスケジュール管理アプリケーション（「ｉカレンダ（i Calendar）」）を用い、図１２に示した統合録画予約表を編集（録画予約を追加）する方法の一例を示す概略図。
【図１４】図１１〜図１３で説明した「ｉカレンダ（i Calendar）」に代えて、ネットワーク（インターネット／クラウドコンピューティング）上に用意されている『番組予約情報蓄積サーバ』を用いる例を説明する概略図。
【図１５】図１及び図２に示した番組録画管理システムにより、複数のレコーダ装置が保持する録画予約をテレビ受信装置の統合録画済番組リスト画面で表示した表示の一例を示す概略図。
【図１６】図１及び図２に示した番組録画管理システムを別の実施の形態により実現する一例を示す概略図。
【図１７】図１及び図２に示した番組録画管理システムと接続可能な記録部（ＨＤＤ）を有するテレビ受信装置の一例を示す概略図。
【図１８】図１及び図２に示した番組録画管理システムと接続可能なレコーダ装置の一例を示す概略図。
【発明を実施するための形態】
【００１２】
以下、図面を参照して、本提案の実施の形態について説明する。
【００１３】
図１は、本提案の実施の一形態を適用する番組録画管理システムの一例を示す。なお、以下に説明する各要素において、「モジュール」と呼称する要素は、ハードウェアで実現するものであってもよいし、ＣＰＵ等を使ってソフトウェアで実現するものであってもよい。
【００１４】
図１に示す番組録画管理システム１は、番組の録画が可能な任意台数の番組録画装置、例えばＨＤＤ（Hard Disk Drive）つきテレビジョン受信装置（以下、テレビ受信装置、と称する）１０１、レコーダ装置＜１＞２０１、レコーダ装置＜２＞３０１、レコーダ装置＜３＞４０１、ＰＣ（Personal Computer＜１＞）５０１及びＰＣ＜２＞（ここでは、携帯可能な小型のモバイルコンピュータ（Mobile Computer）とする）６０１等と接続するマネージャ装置＜＜ホームドメインマネージャ＞＞２及びマネージャ装置２とネットワークとの間の通信を行う通信部３を含む。
【００１５】
なお、図１に示す番組録画装置のうち、テレビ受信装置１０１は、詳述しないが、地上デジタル放送、ＢＳ（Broadcasting Satellite，放送衛星を介して提供される）デジタル放送、ＣＳ（Communication Satellite，通信衛星を通じて提供される）デジタル放送、地上アナログ放送のそれぞれを受信可能な一体型もしくは分離型のチューナ装置、デコーダ装置、例えばＨＤＤを含み、映像及び音声を記録する映像音声録画装置（記録部）、映像音声録画装置（記録部）に対する録画予約の登録や解除（消去）の指示入力が可能な入力部、録画予約の登録を受け付け記憶する予約保持部（不揮発性メモリ）、デコーダ装置がデコードした任意の番組の映像を表示する、例えば液晶（ＬＣＤ，Liquid Crystal Display）パネルである表示部、デコーダ装置がデコードした任意の番組の音声を再生する音声再生部、デコーダ装置がデコードした任意の番組を、例えばレコーダ装置＜１＞２０１やレコーダ装置＜２＞３０１等に、デジタル信号で供給する映像音声出力部（例えば、ＨＤＭＩ（High-definition Digital Media Interface））、表示部にＧＵＩ（Graphical User Interface）を表示する表示制御部等、広く知られている多くの要素を含む。また、映像音声録画装置（記録部）は、例えばＳＤ（Secure Digital）カードと呼ばれる半導体メモリ（メモリカード）へ映像及び音声を記録し、また既に記録されている映像及び音声を再生するリーダ／ライタ（Reader/Writer）や、例えばＤＶＤ（Digital Versatile Disk）規格に代表される光ディスクへの映像及び音声の記録と光ディスクからの映像及び音声の再生が可能なディスクドライブユニット等が、組み合わせて用意されてもよい。もちろん、映像出力として、例えばＤＶＩ（Digital Visual Interface）が用意されてもよい。
【００１６】
また、図１に示す番組録画装置のうち、レコーダ装置＜１＞２０１、レコーダ装置＜２＞３０１、レコーダ装置＜３＞は、それぞれ同一の構成であっても良いことはいうまでも無いが、少なくとも映像出力として、接続される表示装置に対してＧＵＩを表示する表示制御部、及び任意の種別の放送を受信可能なチューナ装置、デコーダ装置がデコードした任意の番組の映像を接続される表示装置に出力する映像出力部、デコーダ装置がデコードした任意の番組の音声を再生する音声再生部、映像及び音声を記録する映像音声録画装置（記録部）、映像音声録画装置（記録部）に対する録画予約の登録や解除（消去）の指示入力が可能な入力部、録画予約の登録を受け付け記憶する予約保持部（不揮発性メモリ）、等を含む。なお、例えば、レコーダ装置＜１＞２０１が、ＢＳデジタル放送、ＣＳデジタル放送、地上デジタル放送のそれぞれを録画可能、レコーダ装置＜２＞３０１及びレコーダ装置＜３＞４０１が、地上デジタル放送のみ受信可能、等のいくつかの条件で区分されてもよい。また、各レコーダ装置＜１＞２０１、レコーダ装置＜２＞３０１及びレコーダ装置＜３＞４０１においては、録画装置（記録部）は、例えばＨＤＤのみが装備されている、あるいは光ディスクやメモリカードとの間で映像及び音声の記録と再生が可能、等の対応するメディアが異なるものであってもよい。
【００１７】
なお、図１に示す番組録画装置のそれぞれは、少なくともネットワーク（ＬＡＮ）に接続可能であることが好ましい。
【００１８】
マネージャ装置２は、アカウントマネージャ４、グループ番組予約一覧管理部５、番組データ保持部６、及び予約調整部７を含む。なお、上述の番組録画装置とマネージャ装置２との間の通信または接続を行う接続部８が設けられている。
【００１９】
マネージャ装置２は、例えば家庭内、あるいは企業（オフィス）内のグループといった信頼できる単位で作成される。また、グループへのアクセス権は、サーバ上（マネージャ装置）に作成された上述のグループへ、メンバーＩＤを登録することで可能となる。
【００２０】
なお、任意の番組録画装置（テレビ受信装置１０１、レコーダ装置＜１＞２０１、レコーダ装置＜２＞３０１、レコーダ装置＜３＞４０１、ＰＣ（Personal Computer＜１＞）５０１及びＰＣ＜２＞（Mobile Computer）６０１）から、メンバーＩＤを使って上述のグループへアクセスした際に、機器管理ＩＤをパラメータとして添付することで自動的に登録される。
【００２１】
通信部３は、ネットワーク（インターネット／クラウドコンピューティング）上に公開されている「ｉカレンダ（i Calendar Store server）」に対して、マネージャ装置２が管理する上述の任意の番組録画装置からの録画予約を、グループ番組予約一覧部５を通じて書き込む（アップデートする）とともに、Ｅ−メールの送受信が可能である。また、通信部３は、ネットワーク上に公開されている「ＴＶ（テレビ）プログラムサーバ（TV program Store server）」から、任意の番組の番組情報を取得可能である。
【００２２】
なお、「ｉカレンダ（i Calendar）」は、ＰＩＭ（Personal Information Manager）データ標準に準拠したスケジュール管理アプリケーションであり、今日、ＰＤＡ（Personal Digital assistant）やスマートフォン等に代表される携帯端末、及び携帯電話装置に実装されている、あるいはサポートしている場合が多く、同アプリケーションをサポートした（実装されている）任意の端末装置を用いる他のユーザに対して、予定や時間を提供できる。また、送信プロトコルに依存しないため、上述のネットワーク上で、スケジュールを共用できる。
【００２３】
また、ＴＶプログラムサーバは、例えば地上デジタル放送を提供する個々の放送事業者が提供する電子番組表（ＥＰＧ）や、上述の番組録画装置を提供する製造メーカが独自に用意したサーバ、及び視聴が無料ではあるが視聴契約を必要とする番組を提供する番組提供事業者が提供する番組一覧（コンテンツテーブル）等を含む。
【００２４】
アカウントマネージャ４は、上述の番組録画装置を保持したユーザまたはユーザが保持する番組録画装置のアカウント情報を取得し、アカウントを管理するアカウント管理部４１、個々の番組録画装置の録画可能状況を取得し、録画可能機器を設定する機器情報管理部４２、個々の番組録画装置の録画予約リスト、及び録画済番組リストを保持するリスト管理部４３を含む。
【００２５】
上述の録画予約リストおよび／あるいは録画済番組リストからなるリスト情報は、リスト管理部４３において、上述のグループに登録されている番組録画装置毎のリストとして保持される。なお、リスト管理部４３は、機器情報管理部４２が保持する機器情報を用いて、上述の録画装置毎のリストをフィルタリングあるいはマージ＜merge，［合成、併合、結合］＞してグループ番組予約リストあるいはグループ録画済リストを生成する。
【００２６】
アカウント管理部４１が管理する情報としては、例えば    
ア＞視聴が有料である番組あるいは視聴が無料ではあるが視聴契約を必要とする番組（視聴契約を必要とする番組提供事業者を含む）についてのアカウントの有無、    
等であり、例えば、上述の任意の番組録画装置から特定の番組提供事業者が提供する番組の録画予約（録画要求）があった場合、その番組提供事業者との間の契約、すなわちアカウントの有無をチェックし、録画予約の可否を判定する。
【００２７】
機器情報管理部４２が管理する情報としては、例えば    
１＞ＢＳ（Broadcasting Satellite，放送衛星を介して提供される）放送、あるいはＣＳ（Communication Satellite，通信衛星を通じて提供される）放送を受信可能な受信契約の有無（ＣＡＳカードの有無、及び契約の有無）、及びアンテナの接続状況、    
２＞ネットワークを経由してユーザが希望する番組を取得可能に提供する番組配信事業者との間の受信契約の有無、及びネットワークとの接続契約の有無、及び回線速度、    
３＞地上デジタル放送の受信を可能とするＣＡＳ（Conditional Access System）カードの有無（地上デジタル放送の放送事業者に対する受信登録の有無）、    
４＞番組録画のための記録容量すなわちＨＤＤ（Hard Disk Drive）の空き容量、    
５＞既に予約されている録画予約の状況、すなわち録画予約をしようとしている時間及びその前後の録画予約の有無、    
６＞録画予約を受け付ける場合の受付可能時間（予約しようとする番組の開始の何分前まで録画予約が可能であるか）、    
７＞Ｅ−メールによる録画予約を受け付ける時間と録画予約しようとする番組の開始時間（録画予約を送信した場合に、対象の録画機器が録画予約を受け付けるか否か）、    
等であり、例えば、上述の任意の番組録画装置から特定の番組提供事業者が提供する番組の録画予約（録画要求）があった場合、録画要求のあった番組録画装置がその番組を録画可能であるか否かをチェックする。なお、例えば、ＣＡＳカードは、ＢＳ放送と地上デジタル放送を受信可能なＢ−ＣＡＳカードと地上デジタル放送のみを受信可能なＣ−ＣＡＳカードとがあり、アカウント管理部４１が管理するアカウント情報と併せて、個々の番組録画装置が録画可能な番組及び放送事業者、等を識別する。
【００２８】
リスト管理部４３は、上述の番組録画装置それぞれの録画予約状況を、上述の機器情報管理部４２が参照可能に、番組予約一覧（リスト）として保持する。なお、番組予約一覧リストは、図示する通り、番組録画装置毎に用意される。
【００２９】
グループ番組予約一覧管理部５は、上述のアカウントマネージャ４のリスト管理部４３が保持する個々の番組録画装置に録画予約された番組を統合予約表（リスト）として一括して保持するとともに、上述した通信部３を通じ、上述の「ｉカレンダ（i Calendar）」が保持する上述の個々の番組録画装置の録画予約を更新（アップデート）する。なお、グループ番組予約一覧管理部５が保持する統合予約表は、任意の番組録画装置において、その番組録画装置における録画予約リストを表示させた場合、後段に説明するが、マネージャ装置２が管理する他の番組録画装置において予約されている録画予約も同時に表示できる。
【００３０】
番組データ保持部６は、アカウントマネージャ４のアカウント管理部４１及び機器情報管理部４２により録画予約状況が管理されている上述の個々の番組録画装置が録画可能な任意の番組の番組データを、録画要求のあった番組録画装置が取得可能に、提供する。なお、番組データは、上述したＴＶプログラムサーバが提供するＥＰＧ（電子番組表）や、上述の番組録画装置を提供する製造メーカが独自に用意したサーバ、及び視聴が無料ではあるが視聴契約を必要とする番組を提供する番組提供事業者が提供する番組一覧（コンテンツテーブル）等を複製したもの、あるいはそれらを統合した一覧表（統合番組表）のいずれであってもよい。
【００３１】
個々の番組録画装置は、上述のグループ番組予約リストあるいは録画済リストが必要になった場合、すなわち録画予約の新規登録（録画予約の設定）あるいは録画予約の重複のチェック時にサーバすなわちマネージャ装置２へリクエストを送る。
【００３２】
マネージャ装置（サーバ）２は、同リクエストに応じて、リスト管理部４３にてデータベースをフィルタリングして、要求に応じたリストを作成し、リクエストを送信した番組録画装置に返信する。
【００３３】
個々の番組録画装置は、このリストを受け取り、すでに録画予約されていないかを確認し、重複していることがチェックできた場合、ＧＵＩ（Graphical User Interface）あるいはアイコン等を用い、録画予約が重複していることを、表示する。なお、録画予約が重複している場合において、一方の番組録画装置の録画予約を削除する場合、ローカルネットワークを用いた「録画削除リクエスト」を送信する手段あるいは機能を、双方の番組録画装置がサポートしている場合は、これを用いる。この削除処理を終えた後、サーバすなわちマネージャ装置２に、本作業による修正をアップロードする。ローカルにおいて、リクエスト送信手段がない場合は、マネージャ装置２へリクエストを送り、リクエストを受け取った他方の機器において削除処理を実行する。完了待ちの状態においては、図示しないが、ＧＵＩにリクエスト中であることを示すアイコンなどを表示する。
【００３４】
予約調整部７は、以下に説明する接続部８を通じてマネージャ装置２と接続される上述の任意台数の番組録画装置すなわちテレビジョン受信装置１０１、レコーダ装置＜１＞２０１、レコーダ装置＜２＞３０１、レコーダ装置＜３＞４０１、ＰＣ＜１＞５０１及びＰＣ＜２＞６０１から新規に録画予約（録画要求）があった場合、既に他の番組録画装置において「同じ番組についての録画予約」があるか否か、等を判断するとともに、その録画予約を要求した番組録画装置とは異なる番組録画装置による録画を推奨する、等の予約調整を行う。
【００３５】
例えば、録画予約を要求した番組録画装置に、放送時間が延長になる可能性がある直前の番組の録画予約があった場合、その時間帯の前後に録画予約がない、別の番組録画装置による録画予約を推奨することで、放送時間が延長になる可能性のある直前の番組の放送時間が実際に延長された場合等であっても、要求のあった番組の録画予約に影響が生じることが抑止される。また、録画予約の要求があった番組録画装置の残り記録容量が少ない場合、等においては、残り記録容量が十分な別の番組録画装置により録画予約を実行することで、録画予約の要求があった番組録画装置において、次の録画予約のために録画済みの番組のいくつかを（他の番組録画装置へ）移動する作業が生じる、等の別の作業が必要となることが低減される。
【００３６】
一方、録画予約を要求した番組録画装置において、既に一部の時間が重なる録画予約がある場合、要求のあった新規の録画予約が可能な別の番組録画装置の有無を判定し、録画予約が可能な別の番組録画装置が存在することを、録画予約の要求があった番組録画装置に通知できる。
【００３７】
また、予約調整部７は、Ｅ−メール等によりマネージャ装置２に対して外部から新規な録画予約の要求があった場合、特に有益である。例えば、特定の番組録画装置を指定した録画予約の要求があった（指定された）番組録画装置に既に録画予約がある、等においては、録画予約の可能な他の番組録画装置による録画予約が可能となる。なお、後段に詳述するが、指定された番組録画装置による録画予約が可能である場合はもちろん、録画予約の可能な他の番組録画装置による録画予約を受け付けた場合においても、返信Ｅ−メールにより、ユーザ（外部から予約要求の要求元）に対して、新しい予約先すなわち録画予約が可能な他の番組録画装置による録画予約が可能であることが、通知される。
【００３８】
なお、後段に詳述するが、予約調整部７は、マネージャ装置２のアカウントマネージャ４（アカウント管理部４１、機器情報管理部４２及びリスト管理部４３）とグループ番組予約一覧管理部５を参照し、番組データ保持部６が保持する番組情報に基づいて、新規な録画予約の要求を実現できる番組録画装置を特定することは言うまでもない。
【００３９】
すなわち、予約調整部７により、録画予約の重複を見つけるとともに、重複の問題を、上述した方法により調整して解消する。なお、予約調整部７を、家庭内ネットワークのいずれかの番組録画装置が分担する場合、その番組録画装置がスリープする（電源オフ状態となる）、あるいはネットワークから切り離されることにより、実行不能となるため、同装置がネットワークから切り離される前に、他の番組録画装置に、上述の調整処理を渡すことが必要となる。例えば、ブロードキャストにより家庭内ネットワークに予約調整機能を有する装置があるか否かを確認し、予約調整機能を有する番組録画装置が存在することが確認できた場合に、その番組録画装置に現在のステータス情報などを渡すことになる。
【００４０】
予約調整部７はまた、図２に示すように、上述した録画予約の調整が簡単ではないことが特定できた場合、例えば他の番組録画装置についても、既に一部の時間が重なる録画予約が登録されている場合には、マネージャ装置２に接続されているＰＣ＜１＞５０１またはＰＣ（モバイル＜２＞）６０１に対し、通信部３を通じて『調整を求める』Ｅ−メールを送信し、録画すべき優先度の高い番組について、ユーザに、録画予約を実行すべき番組録画装置を特定することを求める。
【００４１】
予約調整部７はさらに、録画予約が可能であると推定できるが、実際に設定されている録画予約の確認ができない番組録画装置、例えば電源がオンされていない番組録画装置やＥ−メールによる録画予約が可能な番組録画装置において、Ｅ−メールを受信する時間に至る前である番組録画装置に対する録画予約の有無の確認については、通信部３を通じ、上述の「ｉカレンダ（i Calendar）」を更新する。
【００４２】
これにより、例えば電源がオンされていない番組録画装置が、その番組録画装置に設定された（別の）録画予約に従って起動した時点で、「ｉカレンダ（i Calendar）」上でその番組録画装置を特定した録画予約の有無（または登録された録画予約の実行の可否）が判断できる。
【００４３】
また、Ｅ−メールによる録画予約が可能な番組録画装置がＥ−メールを受信する時間に至った時点で、「ｉカレンダ（i Calendar）」が保持したその番組録画装置を特定した録画予約の有無（または登録された録画予約の実行の可否が）判断できる。
【００４４】
なお、Ｅ−メールによる番組の録画予約は、例えば図３に一例を示すメールフォームを用い、    
Ａ＞識別コード    「ｄｔｖｏｐｅｎ」    
Ｂ＞パスワード    「＠ａｂｘ３＝パスワード」    
Ｃ＞録画日    「２０２２０２２９」  ←  ２０２２年２月２９日    
Ｄ＞録画開始時刻    「ａｃａａ＝２４時制の時間と分」    
Ｅ＞録画終了時刻    「ｃａｂｄ＝２４時制の時間と分」    
Ｆ＞録画チャンネル    「○○＝放送種別に続けて３桁」    
Ｇ＞録画先    「□□＝登録された文字と数字」    
Ｈ＞録画モード（レート）    「△△＝指定された文字列」    
を、送信することで、登録できる。
【００４５】
また、図３に示したメールフォームは、一例であり、その配列や大きさ、入力項目やその順番は、メール送信側の装置やブラウザにより、さまざまな変形例があることはいうまでもない。
【００４６】
接続部８は、例えばＬＡＮ（Local Area Network）コントローラを含み、接続される個々の番組録画装置の録画予約状況、残り記録容量、及び個々の番組録画装置のアカウント情報、等をマネージャ装置２の通信部３を通じて、マネージャ装置２のアカウントマネージャ４に通知する。
【００４７】
図４は、マネージャ装置２と接続される上述の任意台数の番組録画装置すなわちテレビ受信装置１０１，レコーダ装置＜１＞２０１、レコーダ装置＜２＞３０１、レコーダ装置＜３＞４０１、ＰＣ＜１＞５０１及びＰＣ＜２＞６０１から新規に録画予約（録画要求）があった場合、その新規な録画予約が既に登録されている録画予約に対して予約調整が必要か否かについての判定をソフトウェア的に示す。
【００４８】
例えば、図３により一例を示したメールフォームのＥ−メールにより新規仮予約（新規録画予約）が指示された場合［１１］、予約調整が行われる［１２］。
【００４９】
予約調整において、Ｅ−メールにより指示された新規仮予約を変更（修正）する必要があった場合［１３−ＹＥＳ］、新規仮予約を変更（修正）することにより録画予約が可能である場合［１４−ＹＥＳ］、変更した場合の『録画予約「案」』が、Ｅ−メールによりユーザに返信される。なお、『録画予約「案」』としては、例えば「番組録画装置を変更しましたが、録画予約が完了しました。録画予約は、レコーダ装置＜２＞ＲＤ−○○○です。」等とする［１５］。
【００５０】
Ｅ−メールにより指示された新規仮予約を変更（修正）する必要があり［１３−ＹＥＳ］、新規仮予約を変更（修正）することによっても録画予約ができない場合（録画予約変更失敗）［１４−ＮＯ］、図６に一例を示すような『予約を登録できませんでした。重複した予約が既にあります。』等の、録画予約ができないこと（予約調整失敗）を通知するＥ−メールが、ユーザに返信される［１６］。
【００５１】
なお、Ｅ−メールにより指示された新規仮予約を変更（修正）する必要がない場合［１３−ＮＯ］、録画予約が終了したことがＥ−メールにより返信される［１７］。
【００５２】
図５は、図４に示した予約調整のより詳細な手順をソフトウェア的に示す。
【００５３】
Ｅ−メールにより新規仮予約（新規録画予約）が指示された場合［２１］、録画時間が重なっていないことがチェックされる［２２］。
【００５４】
録画時間が重なっている場合［２２−ＮＯ］、対象の（Ｅ−メールにより指示された）新規録画予約の番組を録画できる番組録画装置の有無が、機器情報管理部及びアカウント管理部が保持する情報（機器情報）の参照により、チェックされる［２３］。
【００５５】
対象の（Ｅ−メールにより指示された）新規録画予約の番組を録画できる番組録画装置が存在しない場合［２３−ＮＯ］、図６に一例を示すような『予約を登録できませんでした。重複した予約が既にあります。』等の、録画予約ができないこと（予約調整失敗）がＥ−メールによりユーザに返信される［２４］。
【００５６】
対象の（Ｅ−メールにより指示された）新規録画予約の番組を録画できる番組録画装置が存在した場合［２３−ＹＥＳ］、例えば「番組録画装置を変更しましたが、録画予約が完了しました。録画予約は、テレビ装置○○Ｚ△△△です。」、等の録画予約が終了したことを通知するＥ−メールが返信される［２５］。
【００５７】
なお、予約調整部７による調整は、上述のアカウント管理部及び機器情報管理部が保持する情報ア＞及び１＞〜７＞に従うが、例えば変更先に対するチェックとして、    
ａ）既に予約が入っていないか？    
ｂ）録画開始時間までの時間（何分前まで予約設定可能か？）    
ｃ）装置がＯＦＦの場合、次に、いつ予約サーバのチェックがあるか？    
すなわち対象の装置が予約リストを取りにくるスケジュール、等がある。
【００５８】
また、（Ｅ−メールにより指定された）番組録画機器において録画が可能であっても、例えばＨＤＤ残り記録容量等に基づき、録画予約を振り替える（指定された番組録画機器とは異なる番組録画機器に録画予約を設定する）ことも可能である。
【００５９】
図７は、図４に示した予約調整の別の実施の形態をソフトウェア的に示す。
【００６０】
Ｅ−メールにより新規仮予約（新規録画予約）が指示された場合［３１］、録画時間が重なっていないことがチェックされる［３２］。
【００６１】
録画時間が重なっている場合［３２−ＮＯ］、対象の（Ｅ−メールにより指示された）新規録画予約の番組を録画できる番組録画装置の有無が、機器情報管理部及びアカウント管理部が保持する情報（機器情報）の参照により、チェックされる［３３］。
【００６２】
対象の（Ｅ−メールにより指示された）新規録画予約の番組を録画できる番組録画装置が存在するが、既に設定されている録画予約がある場合［３３−ＮＯ］、既に設定されている録画予約を実行できる他の番組録画装置の有無がチェックされる［３４］。
【００６３】
既に設定されている録画予約を実行できる他の番組録画装置が存在する場合［３４−ＹＥＳ］、既に設定されている録画予約を、その録画予約が可能なほかの番組録画装置に移動する［３５］。
【００６４】
続いて、対象の（Ｅ−メールにより指示された）新規録画予約を、上述の既に設定されている録画予約が他の番組録画装置に移動された番組録画装置に、登録する［３６］。
【００６５】
対象の（Ｅ−メールにより指示された）新規録画予約が完了したこと、及び（既に設定されている録画予約が）他の番組録画装置により実行されること（録画予約が移動されたこと）を、Ｅ−メールで通知する［３７］。
【００６６】
但し、Ｅ−メールによる録画装置の変更の通知に対し、変更の承諾が得られない場合、すなわち変更を解除する返信があった場合［３８］、元の録画予約が維持され、新規録画予約が予約できないことが（Ｅ−メールにより）通知される［３９］。
【００６７】
なお、Ｅ−メールにより指示された新規仮予約を変更（修正）する必要がない場合［３２−ＹＥＳ］、録画予約が終了したことがＥ−メールにより返信される［４０］。
【００６８】
図７に示した例では、例えばＢＳまたはＣＳ放送を録画可能な１台のみの番組録画装置に、地上波の通常画質の番組の録画予約があるような場合において、新規に、ＢＳまたはＣＳ放送の録画予約を登録することも可能である。
【００６９】
反面、既に登録されている録画予約の変更を受け付けないことを選択可能としたことにより、特定の装置を用いることを前提としている（例えば、毎週同一時間に放送されるシリーズ番組を同一の番組録画装置に録画したい）等の要求がある場合に、既存の録画予約に影響を及ぼすことない。
【００７０】
なお、図４、図５及び図７により説明した録画予約が完了した場合、録画予約対象である番組録画装置が接続されたテレビ受信装置においては、図８に一例を示すように、録画予約対象の番組録画装置名を表示した番組予約画面表示が表示される。なお、図８は、図１及び図２に示したテレビ受信装置１０１に、画面表示８０１において、録画装置表示欄８１１に、レコーダ装置＜３＞４０１への録画予約が登録できた状態を示す。
【００７１】
ところで、図４、図５及び図７により説明したような新規の録画予約に関連して予約調整があった場合に、既に設定されている録画予約がどの番組録画装置で実行されるが不明瞭となる恐れがある。
【００７２】
このような背景から、図１により説明したマネージャ装置２のグループ番組予約一覧管理部５において、アカウントマネージャ４のリスト管理部４３が保持する個々の番組録画装置の録画予約を一覧表示できることが好ましい。
【００７３】
図９は、例えばマネージャ装置２に接続された番組録画装置のうち、テレビ受信装置１０１が表示するグループ番組予約一覧の表示例を示す。なお、同表示例は、グループ番組予約一覧管理部５において生成した統合録画予約一覧を、テレビ装置１０１に固有の録画予約表示に従って表示した例である。
【００７４】
図９から、画面表示９０１の第２列（９１１）と第６列（９１２）に、テレビ装置１０１が自身の内蔵したＨＤＤに番組を録画する録画予約があることが、第３列第３行の録画予約（９１３）は、レコーダ装置＜３＞４０１に番組を録画する録画予約があることが、同じく、第３列第５行の録画予約（９１４）は、レコーダ装置＜１＞２０１に番組を録画する録画予約があることが、統合表示すなわち、単一の録画予約リストから、容易に把握できる。
【００７５】
図１０は、図９に示した例と対比される、例えばマネージャ装置２に接続された番組録画装置のうち、レコーダ装置＜１＞２０１が表示するグループ番組予約一覧の表示例を示す。なお、同表示例は、グループ番組予約一覧管理部５において生成した統合録画予約一覧を、レコーダ装置＜１＞２０１に固有の録画予約表示に従い、レコーダ装置＜１＞２０１と接続された図示しないテレビ受信装置（またはモニタ装置）に表示した例である。
【００７６】
図１０から、表示１００１の第７列（１００７）に、テレビ装置１０１において、内蔵のＨＤＤに番組を録画する録画予約があることが、第６列（１００６）に、レコーダ装置＜３＞４０１に番組を録画する録画予約があることが、それぞれ表示される。すなわち、統合表示を用いることで、番組が録画されている番組録画装置がどの装置であるかが、容易に把握できる。
【００７７】
しかしながら、図９及び図１０に一例を示した統合表示は、テレビ装置１０１あるいは任意のレコーダ装置＜１＞２０１、レコーダ装置＜２＞３０１またはレコーダ装置＜３＞４０１による映像出力を表示した場合に、ユーザが確認できる表示に過ぎない。
【００７８】
このため、マネージャ装置２と接続した任意のレコーダ装置あるいはテレビ受信装置において録画予約されている番組の情報や、新規な録画予約が可能であるか、というユーザの希望する情報を、例えば外出先から確認することは、実質的に困難である。
【００７９】
しかしながら、マネージャ装置２が接続するネットワーク（インターネット／クラウドコンピューティング）上において公開されている上述の「ｉカレンダ（i Calendar）」を利用する場合、ユーザは、ネットワーク（インターネット／クラウドコンピューティング）に接続可能な携帯端末装置を保持することで、随時、マネージャ装置２と接続した任意のレコーダ装置あるいはテレビ受信装置において録画予約されている番組の情報や、新規な録画予約が可能であるか、等の情報を他のユーザと共有できる。
【００８０】
図１１は、上述の「ｉカレンダ（i Calendar）」を用いて、図９（テレビ受信装置の表示例）あるいは図１０（レコーダ装置の出力例）に示した統合録画予約一覧を、任意のタイミングで閲覧できる状況を、模式的に示す。
【００８１】
既に説明したが、「ｉカレンダ（i Calendar）」は、そのアプリケーションを実装した、あるいはサポートする任意の端末装置を用い、ネットワーク（インターネット／クラウドコンピューティング）に接続可能であれば任意に利用でき、例えば図１１に示したように、各端末装置に用意されたスケジュール表示機能により、上述の任意の番組録画装置において録画予約されている番組の情報や、新規な録画予約が可能であるか、等の情報を、例えば外出先、あるいは勤務先もしくは自宅へ向かう経路上等の制約を受けることなく、随時確認できる。また、必要に応じて、新規の録画予約の設定（追加）等も随時可能である。なお、図１２は、「ｉカレンダ（i Calendar）」を、一般的なブラウザを用いて表示した表示の一例を示す。
【００８２】
図１２において、例えば毎週月曜日に、レコーダ装置＜１＞において、１４時００分から「○○○・・・」の録画予約があり、２２日（月曜日）については、テレビ受信装置において、１１時００分から「△△△〜〜〜」の録画予約があり、同じく２２日については、レコーダ装置＜２＞において、１９時００分から「□□・・□□〜」の録画予約があることがわかる。なお、図１２に示した「ｉカレンダ（i Calendar）」の表示内容は、図１１により説明した通り、「ｉカレンダ（i Calendar）」サポートする任意の端末装置、例えばＰＣ（パーソナルコンピュータ）あるいはスマートフォン（ＴＳＵＮＡＧＵ（商品名））から、随時、閲覧することができる。
【００８３】
また、図１２に示した「ｉカレンダ（i Calendar）」に対し、図１１に示したネットワークと接続可能な任意の携帯端末装置を用いて、新規な録画予約（予約の編集）を指示することも可能である。例えば、図１３に示す「ｉカレンダ（i Calendar）」を閲覧中のモバイルＰＣ６０１（ＰＣ＜２＞）から、５日（金曜日）の録画予約「シリーズ１０１」の第３週の金曜日（１９日）に放送されると予想できる同シリーズ『シリーズ１０３』の番組の録画予約を登録する場合、モバイルＰＣ６０１（ＰＣ＜２＞）から同録画予約を指示することで、ネットワーク上の「ｉカレンダ（i Calendar）」が表示する「統合番組予約表」の第３週の金曜日に、録画予約を登録（設定）することができる。なお、録画予約に用いる番組データ（番組表）は、端末装置（モバイルＰＣ６０１（ＰＣ＜２＞））から番組録画管理システム１のマネージャ装置２の番組データ保持部６が保持する番組表（番組データ）を参照してもよいし、ネットワーク上で公開されている番組表にアクセスして、同シリーズの放送があることをチェックしてもよいことはいうまでもない。
【００８４】
また、図１４に示すように、図１１〜図１３で説明した「ｉカレンダ（i Calendar）」に代えて、ネットワーク（インターネット／クラウドコンピューティング）上に用意されている『番組予約情報蓄積サーバ』を用いることもできる。
【００８５】
図１５は、図１及び図２に示した番組録画管理システムが保持する複数のレコーダ装置が保持する録画予約を、例えばテレビ受信装置の統合録画番組リスト画面で表示した表示の一例を示す。図１５において、画面表示１５０１中の選択番組表示領域１５１０に、現在、カーソルが位置している（タイトル表示が反転表示されている）タイトル表示１５１２で録画されている番組の再生映像が表示される。なお、タイトル表示１５１２〜１５１９の所定の位置（この例では、左側の先頭付近）の番組録画装置表示欄１５１１に、それぞれのタイトル表示１５１２〜１５１９が表示する録画（済）番組を録画した番組録画装置を示す記号またはアイコン（icon）状の識別マークが表示され、それぞれの番組が録画されている番組録画装置が識別可能である。例えば、タイトル表示１５１２〜１５１４は、テレビ受信装置（図１及び図２の１０１）、タイトル表示１５１５と１５１６は、レコーダ装置＜１＞（図１及び図２の２０１）、タイトル表示１５１７は、レコーダ装置＜２＞（図１及び図２の３０１）、タイトル表示１５１８は、レコーダ装置＜３＞（図１及び図２の４０１）に録画されていることがわかる。
【００８６】
図１６は、図１及び図２に示した番組録画管理システムにおけるマネージャ装置を、例えば家庭内（あるいは企業内）等の比較的狭い空間で管理できる範囲内において、ホームサーバ（クライアントＢ）２００１として配置する例を示す。なお、ホームサーバ（クライアントＢ）２００１は、図１及び図２により説明したと実質的に同等に機能するアカウント管理部（アカウントマネージャ）２００４、番組データ保持部２００６、及び予約調整部２００７を含み、グループ番組予約一覧管理部の機能を、ホームドメインマネージャ（予約管理装置）２０１１で分担することを特徴とする。
【００８７】
図１６から明らかなように、ホームサーバ２００１とテレビ受信装置（クライアントＡ）１１０１及びレコーダ装置（クライアントＣ）１２０１を相互に接続することで、予約管理装置（ホームドメインマネージャ）２０１１により、テレビ受信装置１１０１が保持する録画予約とレコーダ装置１２０１が保持する録画予約を、一元管理できる。
【００８８】
なお、図１６に示す構成においても、外部から携帯端末装置により、予約管理装置（ホームドメインマネージャ）２０１１が一元管理する統合録画予約表の閲覧、あるいは編集を可能とするため、ネットワークを介して、「ｉカレンダ（i Calendar）」または『番組予約情報蓄積サーバ』と接続されてもよいことはいうまでもない。
【００８９】
図１７は、図１に示した番組録画管理システムに接続可能なテレビ受信装置の構成の一例を示す。
【００９０】
テレビ受信装置１７１１は、映像信号（ビデオデータ）に対応する映像を表示する映像表示器１７１３、例えばスピーカ等に代表される音声再生装置であって、音声出力（オーディオデータ）を再生する音声再生器１７１５、ユーザからの制御指示（制御入力）信号を受け入れる操作部１７１７、ユーザからのリモコン装置Ｒによる操作情報（制御入力）信号を受けつけるリモコン受信部１７１９、および制御ブロック（制御部）１７６０等を含む。なお、映像表示器（ディスプレイ装置）１７１３は、例えば液晶パネル装置であって、付属する照明装置１７２５からの照明光（バックライト）を選択的に透過することにより、映像を表示する。また、照明装置１７２５は、点灯回路１７２７により、周囲の明るさや、連続して点灯されている時間と非点灯時間との差すなわち照明装置１７２５の温度に基づいて規定される所定の駆動電圧で点灯される。
【００９１】
制御部１７６０は、ＣＰＵまたはＭＰＵ（Main Processing Unit）とよばれる主制御装置（主制御用大規模ＩＣ（ＬＳＩ））１７６１を、含む。
【００９２】
制御部１７６０（主制御装置１７６１）は、操作部１７１７からの操作入力、またはリモコン装置Ｒから送出された操作情報を受信部１７１９により受信した（リモコン入力）制御信号、もしくはネットワーク接続部（通信インタフェース）１７７３を介して外部から供給される情報およびデータに対応して、以下に説明する各部（要素）を、制御する。
【００９３】
制御部１７６０はまた、主制御装置１７６１が実行する制御プログラムを保持したＲＯＭ（Read Only Memory）１７６２、主制御装置１７６１の作業エリアを提供するＲＡＭ（Random Access Memory）１７６３、各種の設定情報や制御情報あるいはネットワーク接続部１７７３を介して外部から供給される情報および録画予約情報などのデータ等を保持する不揮発性メモリ（Non Volatility Memory，ＮＶＭ）１７６４、およびＨＤＤ１７６５を、含む。
【００９４】
なお、ＮＶＭ１７６４は、ネットワーク接続部１７７３を経由して取り込まれ、制御部１７６０を経由してメッセージや解読されたスケジュール情報等も保持する。
【００９５】
制御部１７６０には、半導体メモリであるカード状媒体（メモリカード）Ｍからの情報の読み出しとメモリカードＭへの情報の書き込みを可能とするカード＿ＩＦ１７７１、ネットワーク接続部（通信＿ＩＦ）１７７３、ＨＤＭＩ（High-Definition Multimedia Interface）１７７４、光ディスクＤからの情報すなわち動画データやオーディオ（音声）データの読み出しと光ディスクへの情報の書き込みに用いられるディスクドライブ装置１７７５、ＵＳＢ＿Ｉ／Ｆ、およびｉ．Ｌｉｎｋ＿Ｉ／Ｆ（インタフェース）１７７７等の任意数のＩ／Ｆ（Interface，インタフェース）群が接続され、それぞれのインタフェースに適合する外部装置、あるいはハブ（拡張装置）もしくはネットワーク制御装置として機能する。
【００９６】
カード＿Ｉ／Ｆ１７７１は、カードホルダ１７７２に装着されるメモリカードＭから、映像および音声ファイルを読み込むことができ、また、メモリカードＭに、映像および音声ファイルを書き込むことができる。
【００９７】
通信＿Ｉ／Ｆ１７７３は、ＬＡＮ端子（ポート）１７８１と接続され、イーサネット（登録商標）規格に従い、外部装置、例えば図１５に一例を示した携帯端末装置（ＴＳＵＮＡＧＵ、商品名）やモバイルＰＣ６０１を介して、あるいはリモコン装置Ｒから供給される制御情報や動画データを受け入れる。なお、通信＿Ｉ／Ｆ１７７３は、ＬＡＮ対応のハブ（Hub）が接続されることで、ＬＡＮ対応のＨＤＤ（ＮＡＳ（Network Attached Storage）ＨＤＤ（Hard Disk Drive））、ＰＣ（personal computer）、ＨＤＤ内臓のＤＶＤレコーダ等の機器の接続が可能である。
【００９８】
ＨＤＭＩ１７７４には、ＨＤＭＩ端子１７８２を介して、例えば図示しないＤＶＤレコーダやＡＶアンプ、あるいはハブが接続される。なお、ＡＶアンプには、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子１７８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００９９】
ディスクドライブ装置１７７５は、例えばＤＶＤ規格の光ディスクＭから情報すなわち動画データやオーディオ（音声）データを読み出し、もしくは記録する。また、セットされた光ディスクがＣＤ規格である場合には、オーディオ（音声）データを読み出し、再生するとともに、例えば曲名や演奏時間等を、映像表示器１７１３に表示可能に出力する。
【０１００】
ＵＳＢ＿Ｉ／Ｆ１７７６は、ＵＳＢポート１７８４に接続される図示しないハブを介して、ＵＳＢ＿Ｉ／Ｆを介してアクセス可能に形成されたＨＤＤ、キーボード等が接続可能であり、それぞれのＵＳＢ機器との間で情報の受け渡しが可能である。なお、ＵＳＢ＿Ｉ／Ｆ１７７６に対応する携帯電話、デジタルカメラ、メモリカードに対するカードリーダ／ライタも接続可能であることはいうまでもない。
【０１０１】
ｉ．Ｌｉｎｋ＿Ｉ／Ｆ１７７７は、図示しないが、例えばＡＶ（オーディオ−ビジュアル）−ＨＤＤあるいはＤ（Digital）−ＶＨＳ（Video Home System）等の外部機器、もしくは、外付けのチューナあるいはＳＴＰ（Set Top Box（ケーブルテレビ用受信機））等がシリアル接続可能であり、接続される任意の機器との間で、情報の受け渡しが可能である。
【０１０２】
なお、詳述しないが、個々のインタフェースに加えて、もしくは任意の１または複数のインタフェースに代えて、例えばＤＬＮＡ（Digital Living Network Alliance（登録商標））規格等に準拠したネットワークコントローラや、図示しないBluetooth（登録商標）／（ブルートゥース（登録商標））が用意され、それらを経由して、データの受け渡しが可能なレコーダ装置やＨＤＤ装置、もしくは携帯可能な端末装置が接続されてもよいことはいうまでもない。
【０１０３】
制御部１７６０は、タイマコントローラ（時計部）１７９０を含む。時計部９０は、時刻や、ユーザからの入力により設定される予約録画のための予約時刻（日時）と録画対象チャンネル等の情報を管理するとともに、その情報を保持可能である。なお、時計部１７９０は、地上波デジタルチューナ１７５０を介して受信するデジタル放送におけるＴＯＴ（Time Offset Table）と呼ばれる「時刻情報」を、常時取得できる。すなわち、電波時計を内蔵している機器と同等の時刻管理が可能である。また、地上波アナログチューナ１７５２により受信するアナログアナログ放送の所定のチャンネルからも、毎日、所定の時間に時報を取得可能であることはいうまでもない。また、時計部１７９０は、携帯端末装置から供給されるスケジューラ機能やメッセンジャ機能のための情報に対する計時部としても機能する。なお、時計部１７９０は、スケジューラ機能およびメッセンジャ機能により規定される所定の時刻において、電源部１７９１による、商用電源に対する電源のオン／オフ（通電）を制御できることはいうまでもない。すなわち、コンセントが抜かれている等の物理的に通電が困難な状況下以外においては、映像表示器１７１３や信号処理部１７４７あるいはＨＤＤ等の電力消費の比較的大きな要素を除く、制御部１７６０等への２次電源（ＤＣ（直流）３１Ｖ、あるいは２４Ｖもしくは５Ｖ等）は、通常確保されており、予め規定された時刻に映像表示器１７１３や信号処理部１７４７あるいはＨＤＤ１７６５等が起動されることは、いうまでもない。
【０１０４】
図１８は、図１に示した番組録画管理システムに接続可能な録画再生装置（レコーダ）の構成の一例を示す。録画再生装置（レコーダ）１８０１は、チューナ１８０２、入力回路１８０３、ＤＳＰ（デジタルシグナルプロセッサ）１８０４、記録装置１８０５、出力回路１８０６、ユーザ操作入力部（リモコン信号受信回路）１８０７、及び電源部１８０８を少なくとも含む。
【０１０５】
チューナ１８０２は、アンテナ端子１８２１に接続されるアンテナまたは光ケーブル等を介して、録画対象の番組を放送するチャンネルを選局する。
【０１０６】
入力端子１８０３は、ビデオ（ｖｉｅｄｏ）入力端１８３１およびオーディオ（ａｕｄｉｏ）入力端１８３２を経由して入力されるビデオ（動画）信号およびオーディオ（音声）信号を、受けつける。
【０１０７】
ＤＳＰ１８０４は、主制御装置（ＣＰＵ）１８４０、ネットワークコントローラ１８４１、アナログ−デジタルコンバータ（ＡＤＣ）１８４２、エンコーダ１８４３、インタフェース１８４４、デコーダ１８４５、ユーザインタフェースグラフィック処理部（ＧＵＩ処理部）１８４６、ビデオエンコーダ（ビデオ出力処理部）１８４７、デジタル−アナログコンバータ（オーディオデコーダ（ＤＡＣ））１８４８、ＥＰＧ（Electric Program Guide）処理部１８４９等の要素を、少なくとも含む。
【０１０８】
主制御装置（ＣＰＵ）１８４０は、上述した各要素の動作、および電源部１８０８の主電源（内部制御用２次回路を除く）のオン／オフを制御する。
【０１０９】
ネットワークコントローラ１８４１は、ＬＡＮ端子１８９１を経由して、外部ネットワークから供給されるストリーム形式の番組を受信する。なお、ＬＡＮ端子１８９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【０１１０】
アナログ−デジタルコンバータ（ＡＤＣ）１８４２、アナログ入力されたビデオ信号およびオーディオ信号をデジタル信号に変換し、エンコーダ１８４３に入力する。なお、チューナ１８０２がデジタル放送を受信する場合には、チューナ１８０２の出力は、そのままエンコーダ１８４３に入力されることはいうまでもない。
【０１１１】
エンコーダ１８４３は、入力されたアナログ信号（ビデオ／オーディオ）をデジタル信号に変換（エンコード）する。なお、例えばＭＰＥＧ（Moving Picture Experts Group）−２あるいはＭＰＥＧ−４（Ｈ．２６４−ＡＶＣ））等に準拠した圧縮を伴う。
【０１１２】
インタフェース１８４４は、記録装置５との間のデータの受け渡し、あるいはリモコン信号受光回路１８０７からの制御信号の入力に利用される。
【０１１３】
デコーダ１８４５は、ＭＰＥＧ−２あるいはＭＰＥＧ−４（Ｈ．２６４−ＡＶＣ））等に圧縮された番組を、デコードする。
【０１１４】
ユーザインタフェースグラフィック処理部（ＧＵＩ処理部）１８４６は、出力回路１８０６を経由して映像（ｖｉｄｅｏ）出力端１８６１とオーディオ（ａｕｄｉｏ）出力端１８６２に接続されるモニタ装置１８６３に表示させるＧＵＩ（グラフィックインタフェース）画面表示を出力する。
【０１１５】
ビデオエンコーダ（ビデオ出力処理部）１８４７は、映像信号とＧＵＩ処理部１８４６から出力されるＧＵＩ画面表示を必要に応じ合成し、ｖｉｄｅｏ（映像）出力端１８６１に接続されるモニタ装置１８６３が表示可能に、出力回路１８０６に、出力映像信号を生成する。
【０１１６】
デジタル−アナログコンバータ（オーディオデコーダ（ＤＡＣ））１８４８は、出力回路１８０６に、ａｕｄｉｏ（オーディオ）出力端１８６２に接続される外部スピーカ等が再生可能に、オーディオ信号を出力する。
【０１１７】
ＥＰＧ（Electric Program Guide）処理部１８４９は、例えばＢＳデジタル放送または地上デジタル放送において番組とともに送信されるＥＰＧデータもしくはＬＡＮ端子１８９１を経由して外部から取得可能なＥＰＧデータを取得し、例えばＧＵＩ処理部１８４６において番組の予約時に番組表を表示させるための日付、時間、チャンネル、番組長データとして保持する。なお、取得したＥＰＧデータは、図示しないメモリ装置あるいはＨＤＤ１８５１の所定の領域に保存される。
【０１１８】
記録装置１８０５は、例えばＨＤＤ（Hard Disk Drive）１８５１またはディスクドライブ装置１８５２を含み、ＨＤＤ１８５１内のＨＤ（Hard Disk）あるいはディスクドライブ装置１８５２にセットされるＤＶＤ（Digital Versatile Disk）規格の光ディスクＤに対して番組を記録し、もしくは既に記録されている番組を再生する。なお、ディスクドライブ装置１８５２に加え、例えば半導体メモリ（メモリカード）等に番組を記録し、あるいは既に記録されている番組を再生するリーダ／ライタ（図示しない）が用意されてもよい。
【０１１９】
出力回路１８０６は、ｖｉｅｄｏ（映像）出力端１８６１およびａｕｄｉｏ（音声）出力端１８６２に接続される再生装置、例えばモニタ装置とスピーカ装置に、ビデオエンコーダ１８４７からの映像信号とＤＡＣ１８４８からのオーディオ信号を出力する。
【０１２０】
リモコン信号受光回路１８０７は、リモコン受光部１８７１において受け付けたユーザ操作入力を、インタフェース１８４４を経由して、主制御装置１８４０に入力する。
【０１２１】
電源部１８０８は、主制御装置１８４０の制御により主電源がオフ可能であり、図示しないタイマ部にセットされた予約時間が到来した時点で主電源をオンし、上述した各要素の動作を、動作可能状態に維持する。
【０１２２】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【０１２３】
１…番組録画管理システム、２…マネージャ装置、３…通信部、４…アカウントマネージャ、４１…アカウント管理部、４２…機器情報管理部、４３…リスト管理部、４４…、４５…、５…グループ番組予約一覧管理部、６…番組データ保持部、７…予約調整部、８…接続部、１０１…テレビ受信装置、２０１…レコーダ装置＜１＞、３０１…レコーダ装置＜２＞、４０１…レコーダ装置＜３＞、５０１…ＰＣ（Personal Computer＜１＞）、６０１…ＰＣ＜２＞（Mobile Computer）、１１０１…テレビ受信装置、１２０１…レコーダ装置、１７１１…テレビ受信装置、１８０１…レコーダ装置、２００１…ホームサーバ、２０１１…予約管理装置（ホームドメインマネージャ）。
【図１】
2011217142.tif 000003
【図２】
2011217142.tif 000004
【図３】
2011217142.tif 000005
【図４】
2011217142.tif 000006
【図５】
2011217142.tif 000007
【図６】
2011217142.tif 000008
【図７】
2011217142.tif 000009
【図８】
2011217142.tif 000010
【図９】
2011217142.tif 000011
【図１０】
2011217142.tif 000012
【図１１】
2011217142.tif 000013
【図１２】
2011217142.tif 000014
【図１３】
2011217142.tif 000015
【図１４】
2011217142.tif 000016
【図１５】
2011217142.tif 000017
【図１６】
2011217142.tif 000018
【図１７】
2011217142.tif 000019
【図１８】
2011217142.tif 000020